(57)【要約】【課題】ユーザが所望するサービスを検索して予約する際の手間を軽減することができる予約サイト集約装置を提供する。【解決手段】予め設定された複数の予約サイトから、予約の対象となるサービスを特定するためのサービス特定情報を収集する収集部１３１１と、収集部１３１１により収集されたサービス特定情報を、予め設定したカテゴリに分類し、その分類したカテゴリと対応付けてデータベースに記憶させる分類部１３１２と、カテゴリの指定をユーザから受け付ける受付部１３１４と、ユーザにより指定されたカテゴリに対応付けて記憶されているサービス特定情報を、ユーザに提供する提供部１３１５と、を備える。【選択図】図４
2019220013.tif 000002
【特許請求の範囲】
【請求項１】
予め設定された複数の予約サイトから、予約の対象となるサービスを特定するためのサービス特定情報を収集する収集部と、
前記収集部により収集された前記サービス特定情報を、予め設定したカテゴリに分類し、当該分類したカテゴリと対応付けて記録媒体に記憶させる分類部と、
前記カテゴリの指定をユーザから受け付ける受付部と、
ユーザにより指定された前記カテゴリに対応付けて記憶されている前記サービス特定情報を、ユーザに提供する提供部と、
を備える予約サイト集約装置。
【請求項２】
前記分類部は、前記カテゴリを検索キーワードに設定して前記サービス特定情報を検索し、抽出された前記サービス特定情報を、前記検索キーワードに設定された前記カテゴリに分類する、
請求項１記載の予約サイト集約装置。
【請求項３】
前記サービス特定情報の参照先を、当該サービス特定情報に対応する前記予約サイトから取得し、当該サービス特定情報に対応付けて前記記録媒体に記憶させる取得部を、さらに備え、
前記提供部は、前記サービス特定情報に加え、前記サービス特定情報の参照先をユーザに提供する、
請求項１又は２記載の予約サイト集約装置。
【請求項４】
前記予約サイトには、異なる業界の予約サイトが混在する、
請求項１から３のいずれか一項に記載の予約サイト集約装置。
【請求項５】
前記サービス特定情報は、予約の対象となるプランを特定するための情報を含む、
請求項１から４のいずれか一項に記載の予約サイト集約装置。
【請求項６】
プロセッサにより実行される予約サイト集約方法であって、
予め設定された複数の予約サイトから、予約の対象となるサービスを特定するためのサービス特定情報を収集する収集ステップと、
前記収集ステップにおいて収集された前記サービス特定情報を、予め設定したカテゴリに分類し、当該分類したカテゴリと対応付けて記録媒体に記憶させる分類ステップと、
前記カテゴリの指定をユーザから受け付ける受付ステップと、
ユーザにより指定された前記カテゴリに対応付けて記憶されている前記サービス特定情報を、ユーザに提供する提供ステップと、
を含む予約サイト集約方法。
【発明の詳細な説明】
【技術分野】
【０００１】
本発明は、予約サイト集約装置及び予約サイト集約方法に関する。
【背景技術】
【０００２】
下記特許文献１には、美容室の予約を管理する美容室予約システムが開示されている。この美容室予約システムでは、ユーザがユーザ端末装置を用いて美容室予約サイトにアクセスし、ユーザが希望する予約条件を満たすプランを検索し、予約を行っている。
【先行技術文献】
【特許文献】
【０００３】
【特許文献１】特開２００７−３３４５６９号公報
【発明の概要】
【発明が解決しようとする課題】
【０００４】
特許文献１では、美容室ごとに美容室予約サイトが設けられる。したがって、例えばヘアカットのように同じ目的のプランであっても美容室が異なれば、それぞれの美容室予約サイトにアクセスしたうえで、検索して予約する必要があり、手間がかかる。
【０００５】
本発明は、上述した課題を解決するためになされたものであり、ユーザが所望するサービスを検索して予約する際の手間を軽減することができる予約サイト集約装置及び予約サイト集約方法を提供することを目的の一つとする。
【課題を解決するための手段】
【０００６】
本発明の一態様である予約サイト集約装置は、予め設定された複数の予約サイトから、予約の対象となるサービスを特定するためのサービス特定情報を収集する収集部と、前記収集部により収集された前記サービス特定情報を、予め設定したカテゴリに分類し、当該分類したカテゴリと対応付けて記録媒体に記憶させる分類部と、前記カテゴリの指定をユーザから受け付ける受付部と、ユーザにより指定された前記カテゴリに対応付けて記憶されている前記サービス特定情報を、ユーザに提供する提供部と、を備える。
【０００７】
上記態様において、前記分類部は、前記カテゴリを検索キーワードに設定して前記サービス特定情報を検索し、抽出された前記サービス特定情報を、前記検索キーワードに設定された前記カテゴリに分類することとしてもよい。
【０００８】
上記態様において、前記サービス特定情報の参照先を、当該サービス特定情報に対応する前記予約サイトから取得し、当該サービス特定情報に対応付けて前記記録媒体に記憶させる取得部を、さらに備え、前記提供部は、前記サービス特定情報に加え、前記サービス特定情報の参照先をユーザに提供することとしてもよい。
【０００９】
上記態様において、前記予約サイトには、異なる業界の予約サイトが混在することとしてもよい。
【００１０】
上記態様において、前記サービス特定情報は、予約の対象となるプランを特定するための情報を含むこととしてもよい。
【００１１】
本発明の一態様である予約サイト集約方法は、プロセッサにより実行される予約サイト集約方法であって、予め設定された複数の予約サイトから、予約の対象となるサービスを特定するためのサービス特定情報を収集する収集ステップと、前記収集ステップにおいて収集された前記サービス特定情報を、予め設定したカテゴリに分類し、当該分類したカテゴリと対応付けて記録媒体に記憶させる分類ステップと、前記カテゴリの指定をユーザから受け付ける受付ステップと、ユーザにより指定された前記カテゴリに対応付けて記憶されている前記サービス特定情報を、ユーザに提供する提供ステップと、を含む。
【発明の効果】
【００１２】
本発明によれば、ユーザが所望するサービスを検索して予約する際の手間を軽減することができる予約サイト集約装置及び予約サイト集約方法を提供することが可能となる。
【図面の簡単な説明】
【００１３】
【図１】実施形態における予約サイト集約サーバを含む予約サイト集約システムの構成を例示する図である。
【図２】図１に示す予約サイト集約サーバの物理的な構成を例示する図である。
【図３】図２に示すデータベースに設けられる予約サイト集約情報テーブルのデータ項目を例示する図である。
【図４】図１に示す予約サイト集約サーバの機能的な構成を例示する図である。
【図５】実施形態における予約サイト集約サーバの動作手順の一例を説明するためのフローチャートである。
【図６】実施形態における予約サイト集約サーバの動作手順の一例を説明するためのフローチャートである。
【発明を実施するための形態】
【００１４】
以下、本発明の実施形態について図面を参照しつつ詳細に説明する。なお、同一の要素には同一の符号を付し、重複する説明を省略する。
【００１５】
図１は、本発明の一実施形態に係る予約サイト集約サーバ（予約サイト集約装置）を含む予約サイト集約システムの概略構成図である。同図に示すように、本実施形態における予約サイト集約システム１００は、予約サイト集約サーバ１と、一つ以上の予約サイト２と、一つ以上のユーザ端末３とを備える。
【００１６】
予約サイト２は、予約の対象となるサービスを検索して予約を申し込むことができるサービス（以下、「予約サービス」ともいう。）を提供するサイトである。予約サイト２は、それぞれが、いずれか一つの業界における予約サービスを提供する。業界には、例えば、旅行業界、飲食店業界、習い事業界、住宅・不動産業界等のように、あらゆる業界が含まれる。
【００１７】
ユーザ端末３は、サービスの提供を受けるユーザが保持する端末装置である。ユーザ端末３として、例えば、スマートフォン、タブレット端末、携帯情報端末（ＰＤＡ）、ノートＰＣ（パーソナルコンピュータ）、ＰＣ、その他の端末装置を適宜用いることができる。
【００１８】
予約サイト集約サーバ１は、予約サービスのポータルサイトとしての機能を有する。具体的に、予約サイト集約サーバ１は、複数の異なる業界における予約サイト２から収集した情報を蓄積し、ユーザ端末３からの検索指示に基づいて、上記蓄積した情報の中から抽出した情報をユーザに提供することで、ユーザが所望する予約サイトにユーザを導く機能を有する。この機能の詳細については後述する。予約サイト集約サーバ１は、例えば、演算処理能力の高いコンピュータによって構成され、そのコンピュータにおいて所定のサーバ用プログラムが動作することにより、サーバ機能を実現する。
【００１９】
ネットワークＮは、予約サイト集約サーバ１と予約サイト２とユーザ端末３との間で相互に情報を送受信可能な通信網を含む。ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００２０】
図２に示すように、予約サイト集約サーバ１は、物理的な構成として、例えば、プロセッサ１１と、通信インタフェース１２と、記憶資源１３とを備える。
【００２１】
プロセッサ１１は、算術演算、論理演算、ビット演算等を処理する算術論理演算ユニット及び各種レジスタから構成され、記憶資源１３に格納されているコンピュータプログラム１３０を実行することで、後述する各種機能を実現する。
【００２２】
通信インタフェース１２は、ネットワークＮに接続し、ネットワークＮ上の他の端末と通信をするためのハードウェアモジュールである。
【００２３】
記憶資源１３は、例えば、物理デバイスの記憶領域が提供する論理デバイスである。物理デバイスとして、例えば、ディスクドライブ又は半導体メモリ等のコンピュータ読み取り可能な記録媒体を用いることができる。
【００２４】
記憶資源１３には、例えば、コンピュータプログラム１３０や、データベース１３２に登録される各種データ等が格納される。
【００２５】
データベース１３２に登録される各種データとして、例えば、図３に示す予約サイト集約情報テーブルに格納されるデータがある。予約サイト集約情報テーブルは、予約サイト集約情報を格納するテーブルであり、データ項目として、例えば、メディアＩＤ項目、店舗ＩＤ項目、カテゴリ項目、サービス特定情報項目、参照先情報項目等を有する。
【００２６】
サービス特定情報項目は、予約サイト２から収集した、予約の対象となるサービスを特定するための情報（以下、「サービス特定情報」ともいう。）を格納する。サービス特定情報として、例えば、プラン名称及びプランの内容（予約の対象となるプランを特定するための情報）が格納される。
【００２７】
メディアＩＤ項目は、サービス特定情報を掲載するメディア（予約サイト）を特定するための識別情報（以下、「メディアＩＤ」ともいう。）を格納する。店舗ＩＤ項目は、サービス特定情報に対応する予約を受け付ける店舗を特定するための識別情報（以下、「店舗ＩＤ」ともいう。）を格納する。
【００２８】
カテゴリ項目は、サービス特定情報を帰属させるカテゴリを示すキーワードを格納する。カテゴリを示すキーワードとして、例えば、温泉、カット、パーマ、予防接種等を用いることができる。キーワードの内容は、任意に登録することができる。本実施形態では、予約サイト集約サーバ１を管理する管理者（以下、「管理者」ともいう。）が、例えばユーザの行動履歴などを勘案して、キーワードの内容を事前に登録する。
【００２９】
参照先情報項目は、サービス特定情報を参照するためのアドレス情報を格納する。アドレス情報として、例えば、サービス特定情報を表示するウェブページのＵＲＬ（uniform resource locator）や、サービス特定情報に対応する予約を受け付ける店舗用のウェブページのＵＲＬ、サービス特定情報を掲載する予約サイト２のトップページのＵＲＬ等を用いることができる。
【００３０】
コンピュータプログラム１３０は、所定の処理を行うためのプログラムであり、予約サイト集約サーバ１のメインプログラムや、そのメインプログラムの動作中に適宜呼び出されて実行される複数のソフトウェアモジュール１３１を有する。ソフトウェアモジュール１３１は、それぞれ特定の処理を実行するためにモジュール化されたサブプログラムであり、例えば、プロシージャ、サブルーチン、メソッド、関数及びデータ構造等を用いて作成される。
【００３１】
図４を参照し、予約サイト集約サーバ１のソフトウェアモジュール１３１を実行することで実現する機能について説明する。予約サイト集約サーバ１は、機能的な構成として、例えば、収集部１３１１、分類部１３１２、取得部１３１３、受付部１３１４及び提供部１３１５を有する。
【００３２】
収集部１３１１は、管理者により予め設定された複数の予約サイト２から、サービス特定情報を収集する。管理者は、複数の予約サイト２を任意に設定することができるとともに、複数の予約サイト２に、異なる業界の予約サイト２を混在させて設定することができる。サービス特定情報を収集するタイミングは定期的であってもよいし、管理者の指示により任意のタイミングでサービス特定情報を収集することとしてもよい。
【００３３】
収集部１３１１は、収集したサービス特定情報を、予約サイト集約情報テーブル（図３）のサービス特定情報項目に格納する。収集部１３１１は、サービス特定情報を掲載する予約サイト２に対応するメディア情報及び店舗情報に基づいて、予約サイト集約情報テーブルのメディアＩＤ項目及び店舗ＩＤ項目に、メディアＩＤ及び店舗ＩＤを格納する。
【００３４】
ここで、予約サイト２のサービス特定情報、メディア情報及び店舗情報は、例えば、予約サイト２に対応するプランＡＰＩ（Application Programming Interface）、メディアＡＰＩ及び店舗ＡＰＩを利用することにより、取得することができる。
【００３５】
分類部１３１２は、収集部１３１１により収集されたサービス特定情報を、管理者により予め登録されたカテゴリに分類し、予約サイト集約情報を生成する。カテゴリに分類して予約サイト集約情報を生成する際の手順について、以下に具体的に説明する。なお、以下に説明する手順は、カテゴリを示すキーワードごとに、繰り返し実行される。
【００３６】
最初に、分類部１３１２は、カテゴリを示すキーワードの一つを検索キーワードに設定し、その検索キーワードを用いてサービス特定情報を検索する。
【００３７】
続いて、分類部１３１２は、上記検索により抽出された一つ以上のサービス特定情報を、検索する際に検索キーワードに設定したキーワードに対応するカテゴリに分類する。
【００３８】
続いて、分類部１３１２は、上記検索により抽出されたサービス特定情報に対応する予約サイト集約情報テーブルのカテゴリ項目に、検索する際に検索キーワードに設定されたキーワードを格納する。このカテゴリ項目にキーワードを格納する処理は、抽出されたサービス特定情報が複数存在する場合には、サービス特定情報ごとに繰り返し実行される。
【００３９】
図４に示す取得部１３１３は、サービス特定情報を参照するためのアドレス情報を、そのサービス特定情報に対応する予約サイト２から取得する。取得部１３１３は、取得したアドレス情報を、予約サイト集約情報テーブルの参照先情報項目に格納する。
【００４０】
なお、アドレス情報を取得するのは、取得部１３１３に限定されず、例えば、前述した収集部１３１１が、サービス特定情報を収集する際に、サービス特定情報とともにアドレス情報を収集することとしてもよい。この場合には、取得部１３１３を省略することができる。
【００４１】
受付部１３１４は、サービス特定情報を絞り込むためのカテゴリの指定をユーザから受け付ける。具体的に、以下のようにカテゴリの指定を受け付ける。例えば、ユーザ端末３のディスプレイにカテゴリ一覧を表示させ、そのカテゴリ一覧の中から所望のカテゴリをユーザに指定させる。また、例えば、ユーザ端末３のディスプレイにキーワード入力欄を表示させ、そのキーワード入力欄に入力されたキーワード（以下、「入力キーワード」ともいう。）で抽出されたカテゴリの中から所望のカテゴリをユーザに指定させる。
【００４２】
提供部１３１５は、予約サイト集約情報テーブルを参照し、ユーザにより指定されたカテゴリに分類されたサービス特定情報及びサービス特定情報の参照先を、ユーザに提供する。具体的に、提供部１３１５は、ユーザにより指定されたカテゴリに基づいて、予約サイト集約情報テーブルに格納されている予約サイト集約情報を検索する。続いて、提供部１３１５は、カテゴリを示すキーワードに対応付けて記憶されているサービス特定情報及び参照先情報を抽出し、ユーザ端末３のディスプレイに表示させる。
【００４３】
次に、図５を参照し、実施形態における予約サイト集約サーバ１において、予約サイト集約情報を生成する際の手順の一例について説明する。
【００４４】
最初に、収集部１３１１は、管理者により予め設定された複数の予約サイト２から、サービス特定情報を収集する（ステップＳ１０１）。
【００４５】
続いて、収集部１３１１は、上記ステップＳ１０１で収集したサービス特定情報を、予約サイト集約情報テーブルのサービス特定情報項目に格納する（ステップＳ１０２）。
【００４６】
続いて、収集部１３１１は、サービス特定情報を掲載する予約サイト２に対応するメディア情報及び店舗情報に基づいて、予約サイト集約情報テーブルのメディアＩＤ項目及び店舗ＩＤ項目に、メディアＩＤ及び店舗ＩＤを格納する（ステップＳ１０３）。
【００４７】
続いて、分類部１３１２は、カテゴリを示すキーワードの一つを検索キーワードに設定し、その検索キーワードを用い、予約サイト集約情報テーブルに格納されているサービス特定情報を検索する（ステップＳ１０４）。
【００４８】
続いて、分類部１３１２は、上記ステップＳ１０４の検索により抽出されたサービス特定情報を、上記ステップＳ１０４で検索キーワードに設定したキーワードが示すカテゴリに分類する（ステップＳ１０５）。
【００４９】
続いて、分類部１３１２は、上記ステップＳ１０４の検索により抽出されたサービス特定情報に対応する予約サイト集約情報テーブルのカテゴリ項目に、上記ステップＳ１０４で検索キーワードに設定したキーワードを格納する（ステップＳ１０６）。
【００５０】
続いて、カテゴリを示す全てのキーワードでサービス特定情報を検索したか否かを判定する（ステップＳ１０７）。この判定がＮＯである場合（ステップＳ１０７；ＮＯ）には、処理を上記ステップＳ１０４に移行する。
【００５１】
一方、上記ステップＳ１０７の判定がＹＥＳである場合（ステップＳ１０７；ＹＥＳ）に、取得部１３１３は、サービス特定情報を参照するためのアドレス情報を、そのサービス特定情報に対応する予約サイト２から取得し、予約サイト集約情報テーブルの参照先情報項目に格納する（ステップＳ１０８）。そして、本動作を終了する。
【００５２】
次に、図６を参照し、実施形態における予約サイト集約サーバ１において、サービス特定情報をユーザに提示する際の手順の一例について説明する。
【００５３】
最初に、受付部１３１４は、サービス特定情報を絞り込むためのカテゴリの指定を、ユーザ端末３を操作するユーザから受け付ける（ステップＳ２０１）。
【００５４】
続いて、提供部１３１５は、上記ステップＳ２０１で指定されたカテゴリに分類されたサービス特定情報及びサービス特定情報の参照先を、ユーザ端末３のディスプレイに表示させる（ステップＳ２０２）。
【００５５】
ユーザは、ディスプレイに表示されたサービス特定情報の中に、所望のサービス特定情報が存在する場合に、そのサービス特定情報の参照先にアクセスすることで、サービス特定情報に対応する予約を申し込むことができる。
【００５６】
上述したように、実施形態における予約サイト集約システム１００によれば、複数の予約サイト２から、予約の対象となるサービスを特定するためのサービス特定情報を収集し、その収集したサービス特定情報をカテゴリに分類し、そのサービス特定情報の参照先とともに上記分類したカテゴリに対応付けて記憶させることができ、ユーザからカテゴリの指定を受け付けた場合には、その指定されたカテゴリに対応付けて記憶されているサービス特定情報及びサービス特定情報の参照先をユーザに提供することができる。
【００５７】
したがって、ユーザは、予約の対象となるサービスが、複数の異なる業界における予約サイト２でそれぞれ提供されているサービスであったとしても、それぞれの予約サイト２で別々に検索することなく、予約サイト集約システム１００において一括して検索し、参照することが可能となる。
【００５８】
それゆえ、実施形態における予約サイト集約システム１００によれば、ユーザが所望するサービスを検索して予約する際の手間を軽減することが可能となる。
【００５９】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、又は並列に実行することができる。
【符号の説明】
【００６０】
１…予約サイト集約サーバ、２…予約サイト、３…ユーザ端末、１１…プロセッサ、１２…通信インタフェース、１３…記憶資源、１００…予約サイト集約システム、１３０…コンピュータプログラム、１３１…ソフトウェアモジュール、１３２…データベース、１３１１…収集部、１３１２…分類部、１３１３…取得部、１３１４…受付部、１３１５…提供部、Ｎ…ネットワーク。
【図１】
2019220013.tif 000003
【図２】
2019220013.tif 000004
【図３】
2019220013.tif 000005
【図４】
2019220013.tif 000006
【図５】
2019220013.tif 000007
【図６】
2019220013.tif 000008
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
予約サービスを提供する複数の異なる業界における予約サイトから、予約の対象となるプランを特定するための情報を収集する収集部と、
前記収集部により収集された前記プランを特定するための情報を、管理者により予め設定されたカテゴリの中から選択した一つのカテゴリを用いて検索し、抽出した前記プランを特定するための情報を、前記選択したカテゴリに分類し、当該分類したカテゴリと対応付けて記録媒体に記憶させることを、管理者により予め設定された全てのカテゴリについて順次実行する分類部と、
前記プランを特定するための情報を絞り込むためのカテゴリ一覧の中からユーザにより指定されたカテゴリを受け付ける受付部と、
前記受付部により受け付けられたカテゴリに対応付けて記憶されている前記プランを特定するための情報を、ユーザに提供する提供部と、
を備える予約サイト集約装置。
【請求項２】
前記プランを特定するための情報の参照先を、当該プランを特定するための情報に対応する前記予約サイトから取得し、当該プランを特定するための情報に対応付けて前記記録媒体に記憶させる取得部を、さらに備え、
前記提供部は、前記プランを特定するための情報に加え、前記プランを特定するための情報の参照先をユーザに提供する、
請求項１記載の予約サイト集約装置。
【請求項３】
プロセッサにより実行される予約サイト集約方法であって、
予約サービスを提供する複数の異なる業界における予約サイトから、予約の対象となるプランを特定するための情報を収集する収集ステップと、
前記収集ステップにおいて収集された前記プランを特定するための情報を、管理者により予め設定されたカテゴリの中から選択した一つのカテゴリを用いて検索し、抽出した前記プランを特定するための情報を、前記選択したカテゴリに分類し、当該分類したカテゴリと対応付けて記録媒体に記憶させることを、管理者により予め設定された全てのカテゴリについて順次実行する分類ステップと、
前記プランを特定するための情報を絞り込むためのカテゴリ一覧の中からユーザにより指定されたカテゴリを受け付ける受付ステップと、
前記受付部により受け付けられたカテゴリに対応付けて記憶されている前記プランを特定するための情報を、ユーザに提供する提供ステップと、
を含む予約サイト集約方法。
【手続補正書】
【提出日】令和1年7月17日(2019.7.17)
【手続補正１】
【補正対象書類名】特許請求の範囲
【補正対象項目名】請求項３
【補正方法】変更
【補正の内容】
【請求項３】
プロセッサにより実行される予約サイト集約方法であって、
予約サービスを提供する複数の異なる業界における予約サイトから、予約の対象となるプランを特定するための情報を収集する収集ステップと、
前記収集ステップにおいて収集された前記プランを特定するための情報を、管理者により予め設定されたカテゴリの中から選択した一つのカテゴリを用いて検索し、抽出した前記プランを特定するための情報を、前記選択したカテゴリに分類し、当該分類したカテゴリと対応付けて記録媒体に記憶させることを、管理者により予め設定された全てのカテゴリについて順次実行する分類ステップと、
前記プランを特定するための情報を絞り込むためのカテゴリ一覧の中からユーザにより指定されたカテゴリを受け付ける受付ステップと、
前記受付ステップにおいて受け付けられたカテゴリに対応付けて記憶されている前記プランを特定するための情報を、ユーザに提供する提供ステップと、
を含む予約サイト集約方法。